(57)【要約】【課題】洗浄者による洗浄作業の容易性に加え、犬等のペットにとっても快適に洗浄され得るペット用バスタブを実現することを目的とする。【解決手段】本考案にかかるペット用バスタブは、長手方向の少なくともいずれか一方に、底面より高く辺縁部よりも低い位置に設けられ、底面に平行なステップ台を備え、また、好ましくは、ステップ台が、洗浄されているペットの前脚置き場であるものとする。【選択図】図１
0003223384.tif 000002
【実用新案登録請求の範囲】
【請求項１】
長手方向の少なくともいずれか一方に、底面より高く辺縁部よりも低い位置に設けられ、底面に平行なステップ台を備える
ことを特徴とするペット用バスタブ。
【請求項２】
請求項１に記載のペット用バスタブにおいて、
前記ステップ台は、洗浄されているペットの前脚置き場である
ことを特徴とするペット用バスタブ。
【請求項３】
請求項２に記載のペット用バスタブにおいて、
前記ステップ台に前記ペットが前脚を搭載した状態で、前記ペットの目線は前記辺縁部よりも高くなるように、前記ステップ台の高さが設けられる
ことを特徴とするペット用バスタブ。
【考案の詳細な説明】
【技術分野】
【０００１】
本考案は、ペット用バスタブに関する。
【背景技術】
【０００２】
犬や猫等のペットの洗浄については、人間の赤ちゃんの入浴と同等か若しくはそれ以上の労力を要される場合も少なからず生じることから、ユーザすなわち飼い主等にとっての洗浄容易性のみが従来  追及されてきた。このため、犬等のペット用バスタブであって、洗浄される側の犬等のペットにとって、より快適に洗浄され得る環境を提供する観点でのバスタブは従来  殆ど提案されてこなかった。（図２ご参照）
【０００３】
例えば、下記特許文献１には、「バスタブ中においてペットを洗浄し、すすぎ、ドライヤーで乾かすという一貫作業を行うことができるペット用バスタブを提供すること」を目的として、「バスタブ体と浴槽上方に蓋体を設置し、しかもバスタブ体内部には、給水装置を設置し、バスタブ体にはさらに給気装置を設置し、ペットを浴槽内で洗浄しきれいにした後、水ですすぎ、ドライヤー乾燥を行い、こうして一貫した手入れ、洗浄作業を行うことができる。そのため、ペットを洗浄、入浴させ、お湯に浸からせる過程において、ペットの身体についた水が四方に飛散することはなく、バスタブ体周辺環境を清潔かつ衛生的に保つことができる。」考案が記載されている。
【０００４】
特許文献１では、トリマーさんやペット洗浄等の業者に対しては大きな利便性が得られるものとなっている。その労働力の大きさを考慮すると、このような考え方には一定の理解ができる。しかし、昨今では、犬等のペットは室内犬も含めて家族と同等以上の扱いが定着しつつあり、食事から衣服、ベビーベッドからお墓まで全て人間並み以上に扱われることも珍しくない。もちろん犬用のフルコースメニューも用意されている。このような観点からすれば、現在市販されているペット用バスタブは赤ちゃん用のバスタブと何ら変わらない形態であって、ペットに対する配慮がやや欠けていると言わざるを得ない。
【先行技術文献】
【特許文献】
【０００５】
【特許文献１】実用新案登録第３１６１３７１号公報
【考案の概要】
【考案が解決しようとする課題】
【０００６】
ペット用バスタブは、洗浄されるペットが快適で喜んで洗浄され得るように、ペットに対する配慮がさらに求められているところである。しかし、現実には、図１に例示するように、洗浄される犬の体がバスタブ内に深く沈み込んで側壁がそそり立っていることから、洗浄液の飛散はしっかりと防げる反面、犬の顔面直下に台が存在して動きの自由度が減り、ペットのとって洗浄中の不快指数は相当に高いと思われる。
【０００７】
本考案は、上述の問題点を解消するために為されたものであり、洗浄者による洗浄作業の容易性に加え、犬等のペットにとっても快適に洗浄され得るペット用バスタブを実現することを目的とする。
【課題を解決するための手段】
【０００８】
本考案にかかるペット用バスタブは、長手方向の少なくともいずれか一方に、底面より高く辺縁部よりも低い位置に設けられ、底面に平行なステップ台を備えることを特徴とする。
【０００９】
また、本考案にかかるペット用バスタブは、ステップ台は、洗浄されているペットの前脚置き場であることを特徴とする。
【００１０】
本考案にかかるペット用バスタブは、ステップ台にペットが前脚を搭載した状態で、ペットの目線は前記辺縁部よりも高くなるように、ステップ台の高さが設けられることを特徴とする。
【考案の効果】
【００１１】
本考案により、洗浄者による洗浄作業の容易性に加え、犬等のペットにとっても快適に洗浄され得るペット用バスタブを実現できる。
【図面の簡単な説明】
【００１２】
【図１】（ａ）が本考案にかかるペット用バスタブを説明する斜視図であり、（ｂ）が本考案にかかるペット用バスタブを上から観察した平面図である。
【図２】従来のペット用バスタブを説明するための図である。
【考案を実施するための形態】
【００１３】
本考案で提案するバスタブは、外遊びから帰ってきた犬等を さ程広くは無い玄関先等においても、容易に洗浄して、その後室内に誘導することができるペット用バスタブである。このため、好ましくは長辺６００ｍｍ、短辺３７０ｍｍ程度の角がとれた略矩形の辺縁部を有し、高さは犬の体高に応じて選択可能に例えば３００ｍｍ乃至５００ｍｍ程度に構成しても良い。
【００１４】
また、図１に示すように、本考案のペット用バスタブ１０００は、内部の収容されるペットにとって極めて悪い足場となるスロープを実質的に備えないものとすることが好ましい。このようなスロープに代えて、後ろ脚が搭載される底面１０３０よりも高い位置で辺縁部１０１０より低い位置に、水平なステップ台１０２０を備えるものとする。
【００１５】
これにより、ステップ台１０２０に搭載された犬等の前脚を容易に洗浄することが可能となる。また、犬等も洗浄されている自身の前脚を観察可能となるので、より安心して前脚を洗浄者に預けて任せることができるものとなる。また、底面１０３０より高いステップ台１０２０に前脚を搭載することで、前脚付け根と顔の位置が高く維持されるので、前脚付け根から下腹周りにかけての洗浄に際し、洗浄者の手やブラシの挿入・位置取りが容易となって洗浄し易くなる。また、すすぐ場合等にも、胴体に沿って低い方向に次第に洗浄液や水が犬等の体表に沿って伝え流れて行く可能性が高くなるので、水等の飛び散りも低減できる。
【００１６】
上述の観点から、図１に例示するようにステップ台１０２０の幅は本考案のペット用バスタブ１０００の幅いっぱいに設けて、長さをペット用バスタブ１０００の長手方向に１００ｍｍ程度設けるものとしてもよい。そして、水が存在する状態で、犬等が脚を置けないようなスロープ部分は可能な限り少なくすることが好ましい。とは言え、犬等が配置されるペット用バスタブ１０００の内壁等にあまりにカクカク角張った部分が存在することも好ましくないので、適宜な調整が好ましい。また、図１に示すようにペット用バスタブ１０００の底面には水抜き栓１０４０を設けておくと洗浄完了後の片づけに便利である。
【００１７】
本考案にかかるペット用バスタブは、長手方向の少なくともいずれか一方に、底面より高く辺縁部よりも低い位置に設けられ、底面に平行なステップ台を備えることを特徴とする。これにより、犬等のペットが洗浄作業中に安心して前脚をステップ台に搭載して、体を水平状態から前方顔がやや上方向となった体勢向きで落ち着くことができる。この体勢においては、腹部やあごの下を洗浄する場合の洗浄液が垂直直下にポタポタと落ちるのではなく、斜め後方後ろ脚方向に伝って後ろ脚からバスタブ底面方向に向けて伝い落ちる可能性が高くなる。
【００１８】
したがって、洗浄液の飛散を最小限に抑えることが可能である。さらに、前脚をステップ台に搭載するとペットの顔位置が少し高くなるので、ペットと洗浄者（典型的には飼い主）の顔の距離が近くなり、ペットがより安心して落ち着いて静止していられる時間も長くなる。さらには、このようにボディが斜め上方を向いていると、下腹周りへの手の挿入が容易となり、下腹周りの空間も広くなるので、洗浄作業もさらに容易となる。
【００１９】
比較的に、従来のバスタブのように底面に全ての脚を載せれば、通常、細長い胴体は略水平に保たれる。するとペットの顔位置が辺縁部と重複することが頻繁に生じて、ペットにとってはとても不快である。また、特に、前脚付近の下腹回りも洗浄し難いものとなってしまう。
【００２０】
また、本考案にかかるペット用バスタブは、ステップ台が、洗浄されているペットの前脚置き場であることを特徴とする。このような構成により、ペットが安心して前脚を搭載して顔の位置を高くして顔に洗浄液が掛かりにくい体勢をとれるものとなる。一般に、犬や猫のペットは、顔に水が掛かることを嫌うことが多い。顔の位置が高く保持できれば、飛散した洗浄液や飛沫が付着する懸念も低減でき、飼い主等の洗浄者の行動もよく観察でき顔の距離も近くなるので、ペットがさらに安心できるものとなる。
【００２１】
本考案にかかるペット用バスタブは、ステップ台にペットが前脚を搭載した状態で、ペットの目線は前記辺縁部よりも高くなるように、ステップ台の高さが設けられることを特徴とする。このような構成により、洗浄されているペットの目前にバスタブの側壁がそそり立って視線を遮るようなケースを回避できる。
【００２２】
通常、人間よりも低い位置に目線や顔が位置する犬・猫等ペットは、地面や底面等低い位置の観察が人間より容易に行える反面、人間を基準に形成されている人工建築物等の社会においては、目前を種々の障害物で遮蔽されている場面も少なくない。しかし、このような視線の遮蔽状態は、動物的特性に基づけば、ペットにとって本来好ましい快適な状態ではないことが明白である。それはバスタブで洗浄されている犬猫でも同様であり、視線を広く開放させてあげることで、飼い主の行動をよく観察でき、周囲の状況もよく観察できるので、ペットとの信頼関係もより深く高くなるものとできる。
【００２３】
本考案に係るペット用バスタブ１０００は、上述の説明及び図面に示す形状・構造・態様等に限定されるものではなく、本考案の射程の範囲内において、当業者の知り得る適宜公知または周知の手法等を用いて変形しアレンジし、モディファイしてもよいものである。
【符号の説明】
【００２４】
１０００・・ペット用バスタブ、１０１０・・辺縁部、１０２０・・ステップ台、１０３０・・底面、１０４０・・水抜き栓。
【図１】
0003223384.tif 000003
【図２】
0003223384.tif 000004